(57)【特許請求の範囲】
【請求項１】
中央孔を有する記録媒体ディスクを脱着可能に保持するディスク保持装置であり、
ディスクの整列される平坦基部を有したベース部材と；
ディスクの中央非記録部の載置される上端外径を有して、上記ベース部材の平坦基部から上方に一体に突出された略円錐台形状の中空台座と；
上記中空台座の平面直径方向に延びた一対の離間スリットによる、上記中空台座の上端を部分的に残す形状での部分分断のもとで、弾性的な上下変位の可能に当該中空台座の外径円内に規定、形成された両持ちアームと；
上記両持ちアームに一体に突設された、ディスク中央孔に挿通可能な略中空円柱状のボタン片と；
ディスク中央孔周縁に係合可能なリップをその上端外面に有して、スリットによる上記ボタン片からの部分的な分断のもとでその直径上の対峙位置に立設された、少なくとも一対の弾性係合片と；
を備え、ディスク中央孔周縁への弾性係合片の係合を伴う、中空台座上端への中央非記録部の載置のもとで、上記記録媒体ディスクを保持可能とするとともに、ボタン片の押下による、ディスクの載置された中空台座上端部分に対する両持ちアームの下方変位のもとで、弾性係合片をディスク中央孔から下方に抜去可能としたことを特徴とするディスク保持装置。
【発明の詳細な説明】
【０００１】
【発明の属する技術分野】
この発明は、中央孔を有した記録媒体ディスクを脱着可能に保持するディスク保持装置に関する。
【０００２】
【従来の技術】
たとえば、ＣＤ、ＣＤ−ＲＯＭ、あるいはＤＶＤ等に代表される、記録媒体としての、いわゆる光ディスク（記録媒体ディスク）は、通常、ディスク保持装置に着脱可能に保持された上で、開閉可能な所定の収納ケースに収納される。
【０００３】
このディスク保持装置は、通常、ディスク中央孔ヘの挿通、およびその周縁への係合のもとでこのディスクを着脱可能に保持する係合／保持手段を、たとえば平坦な基部の中央に備えている。
【０００４】
一般的な係合／保持手段は、たとえば、ディスク中央孔の周縁に係合可能なリップをその上端外面等に有した、半径方向への弾性変位の可能な分断突設片を複数箇所に組み込むことによりなる外形略円筒体として形成されている。そして、外形略円筒状の係合／保持手段にいずれかの指、たとえば中指等を置き、ディスクの外周縁に掛けた、たとえば親指等でディスクを引き剥がすように傾斜させながら持ち上げることで、ディスク保持装置からのディスクの取り外しが行われている。
【０００５】
【発明が解決しようとする課題】
ここで、このような、ディスク保持装置から引き剥がす態様でのディスクの取り外しにおいては、ディスク全体が、係合／保持手段を支点とした、略半折り状に自ずと湾曲される。しかしながら、このようなディスク全体の湾曲、およびそれによる撓みは、ディスクの記録部に記録されたデータに損傷を与えることも起り得ることから、このような、ディスク全体の湾曲、撓み等を伴う脱着は好ましいものとはいえない。
【０００６】
また、ディスクをディスク保持装置から取り外した際、このディスクは、ディスク外周端に掛けた親指等と、ディスク中央孔に掛けた中指等とで把持されるが、ディスクを引き剥がした際の衝撃、あるいはディスクの振動等による、ディスクに対する指の掛かり具合の変化等により、ディスクを誤って落下させることも起り得る。
【０００７】
そこで、たとえば、特許第2863317号公報に開示のような、少なくとも２つの径方向アームの先端にリップ付きのボタン状部材を設けた、いわゆるワンタッチ式のものが提供されている。
【０００８】
この公知の構成においては、ボタン状部材の、アームの根元側部分にリップが設けられており、各アームのボタン状部材の一体的な押下による、アーム内端間の近接、つまりリップ外径の縮径により、所定上段位置に支持されたディスク中央孔からのボタン状部材の抜去が可能となる。そして、このボタン状部材ヘの押力解除に伴う、アームの位置復元により、ディスクはボタン状部材のリップとの係合のもとで上方に押し上げられるため、ディスク保持装置によるディスクの保持が解除されて収納ケースからのディスクの自在な取り外しが容易に可能となる。
【０００９】
これによれば、ボタン状部材の押下のみによるワンタッチ操作のもとでディスクの保持が解除されるため、その作業性が向上される。そして、ディスクに湾曲、撓み等を生じさせないため、ディスク保護性能も十分に高く確保できる。
【００１０】
ここで、この種の構成においては、アーム先端に設けられたボタン状部材のリップがディスク中央孔の周縁から確実に外れるまで、ボタン状部材を押下しなければならない。しかし、この公知の構成においては、ボタン状部材のリップがアームの根元側に位置しており、またアームの揺動の支点となるその根元からの距離は比較的長いため、リップ外径がディスク中央孔の内径より小径となるまでには、かなりの押下ストロークが要求される。従って、取り外しの際の作業性、およびディスク保護性が向上される反面、その操作性の低下を伴うことは否定できない。
【００１１】
また、ボタン状部材が、各アームの先端部に分断して設けられているが、この各ボタン状部材の一体的な押下は、その操作の都度、必ず得られるとは限らない。つまり、押下する指の位置や力の偏り等によって、十分に押下できないボタン状部材が出てくることも起り得ることから、この点においても、その操作性の低下は生じやすい。
【００１２】
そして、ボタン状部材の押下によって、各ボタン状部材間の隙間が狭められるため、押下する指が違和感を感じやすい。さらに、場合によっては、この各ボタン状部材間の隙間に皮膚等の異物を挟み込むことも否定できないため、この点においても、その操作性の低下は避けられない。
【００１３】
この発明は、ワンタッチ式による作業性、およびディスク保護性の向上に加えて、操作性の向上をも確保可能としたディスク保持装置の提供を目的としている。
【００１４】
【課題を解決するための手段】
この目的を達成するために、請求項１に係るこの発明のディスク保持装置は、ディスクの整列される平坦基部を有したベース部材と、ディスクの中央非記録部の載置される上端外径を有して、ベース部材の平坦基部から上方に一体に突出された略円錐台形状の中空台座と、中空台座の平面直径方向に延びた一対の離間スリットによる、中空台座の上端を部分的に残す形状での部分分断のもとで、弾性的な上下変位の可能に中空台座の外径円内に規定、形成された両持ちアームと、両持ちアームに一体に突設された、ディスク中央孔に挿通可能な略中空円柱状のボタン片と、ディスク中央孔周縁に係合可能なリップをその上端外面に有して、スリットによるボタン片からの部分的な分断のもとでその直径上の対峙位置に立設された、少なくとも一対の弾性係合片とを備えている。
【００１５】
そして、ディスク中央孔周縁への弾性係合片の係合を伴う、中空台座上端への中央非記録部の載置のもとで、上記記録媒体ディスクを保持可能とするとともに、ボタン片の押下による、ディスクの載置された中空台座上端部分に対する両持ちアームの下方変位のもとで、弾性係合片をディスク中央孔から下方に抜去可能に、このディスク保護装置は構成されている。
【００１６】
【発明の実施の形態】
以下、図面を参照しながらこの発明の実施の形態について詳細に説明する。
【００１７】
図１に示すように、この発明に係るディスク保持装置10は、ボトム（裏蓋）12とリッド（表蓋）14とを有する開閉可能な収納ケース16内に設けられている。
【００１８】
この収納ケース16は、背部体18の長手各側端に、たとえば線状ヒンジ20-B,20-Lを介してボトム12、およびリッド14を連設させた、いわゆる全展開型として形成されている。そして、この全展開型の収納ケース16においては、線状ヒンジ20-B,20-Lでの折り曲げによるボトム12、リッド14間の重ね合わせ、およびボトム側、リッド側一対の係留手段22,23間の係留、保持により、その閉鎖が可能となっている。
【００１９】
なお、この種の収納ケース16自体は公知であり、その構成自体はこの発明の趣旨でないため、ここでの詳細な説明は省略する。
【００２０】
この収納ケース16には、図２に示すような、中央孔26aを有する円板状の光ディスク、つまりＣＤ、ＣＤ−ＲＯＭ、あるいはＤＶＤ等の記録媒体ディスク26が保持、収納される。そして、図１に加えて図３、および図４を見るとわかるように、この記録媒体ディスク26を着脱可能に保持するディスク保護装置10は、ディスク（記録媒体ディスク）の整列される平坦基部28を有したベース部材を基に形成されている。
【００２１】
この発明の実施の形態では、ディスク保護装置10が収納ケースのボトム12自体において構成されている。つまり、この構成においては、ディスク保護装置10のベース部材が、この収納ケースのボトム12として具体化されている。
【００２２】
このベース部材（ボトム）12の平坦基部28は、たとえば、ベース部材に略円形状に突設された縦壁30での仕切りによりなる略凹状部の底面として規定され、図３に示すように、この略凹状部内に、ディスク26が整列、収容可能となる。そして、図１、図３、および図４に示すように、この発明においては、ディスク26の中央非記録部26bの載置される上端外径を有した略円錐台形状の中空台座32が、ベース部材の平坦基部28から上方に一体に突出されている。
【００２３】
ここで、この発明においては、弾性的な上下変位の可能な両持ちアーム34が、中空台座32の平面直径方向に延びた一対の離間スリット36による、中空台座の上端を部分的に残す形状での部分分断のもとで、中空台座の外径円内に設けられるとともに、ディスク中央孔26aに挿通可能な略中空円柱状のボタン片38が、この両持ちアームの中央に一体に突設されている。
【００２４】
さらに、図１、および図４に加えて図５を見るとわかるように、この発明においては、ディスク中央孔26aの周縁に係合可能なリップ40aをその上端外面に有する一対の弾性係合片40が、スリット42によるボタン片38からの部分的な分断のもとで、ボタン片の直径上の対峙位置にそれぞれ立設されている。
【００２５】
この実施の形態においては、一対の弾性係合片40が、両持ちアーム34の延びる方向に対する直交線44上の対峙位置に、それぞれ立設されている。
【００２６】
図３、および図５は、弾性係合片のリップ40aがディスク中央孔26aの周縁に係合した状態、つまり、一対の弾性係合片40によるディスク26の保持状態を示す。この保持状態においては、ディスク26が中空台座32の上端に当接、載置されている。
【００２７】
なお、この実施の形態においては、中空台座32の上端が、リング状突起32aとして具体化されている（図１参照）。
【００２８】
そして、このような保持状態から、図５の矢印方向にボタン片38を押下すると、両持ちアーム34は弾性的に下方変位されるが、この発明でのディスク26の保持状態においては、中空台座32の上端、つまりリング状突起32aに、ディスクの中央非記録部26bが載置された状態であるため、図６に示すように、ボタン片、つまり弾性係合片40は、半径内方への弾性傾動のもとでの係合解除を伴いながら、ディスクを伴うことなく下方に移動される。
【００２９】
つまり、ボタン片38を押下することで、ディスク中央孔26aから弾性係合片40を下方に抜去することが可能となる。そして、この弾性係合片40の抜去後、ボタン片38に対する押力を解除すれば、両持ちアーム34の弾性による上方変位のもとで、ボタン片38、および弾性係合片40は、図７に示すようにその初期位置に復帰する。
【００３０】
なお、ディスク中央孔26aの周縁に係合可能なリップ40aをその上端外面に有する弾性係合片40間の外径は、ディスク中央孔の内径より大きい。つまり、両持ちアーム34の弾性復帰のもとでボタン片38、および弾性係合片40が初期位置に復帰しても、この弾性係合片40がディスク中央孔26aに挿通されることはないため、その係合解除状態は維持されるとともに、図示のように、この弾性係合片のリップ40aによって、ディスク26は持ち上げられる。
【００３１】
また、ディスク26をディスク保持装置10に保持させる場合においては、ディスク中央孔26aをボタン片38に整列させた状態、つまり図７に示すような状態でディスク26を下方に押し込めば、図６に示すような両持ちアーム34の下降状態からの、半径方向への弾性係合片40の弾性変位（弾性傾動）によるディスク中央孔周りへのリップ40aの係合を伴った両持ちアームの上方変位により、ディスクは、図５に示すように中空台座32上に載置、保持される。
【００３２】
上記のように、この発明のディスク保護装置10においては、ボタン片38の押下のみで、ディスク中央孔26aに対する弾性係合片40の係合解除が行えるため、その際の操作性、および作業性が向上される。
【００３３】
そして、ディスク26は、中空台座32上に載置された状態であるため、ディスク26に湾曲、撓み等を生じさせることなく、その保持解除を行うことが可能となる。従って、ディスク26の保護性能も十分に高く維持できる。
【００３４】
さらに、この発明においては、ディスク中央孔26aの周縁に係合されるリップ40aを、両持ちアーム34に弾性傾動可能に配した弾性係合片40に設けているにすぎない。つまり、リップ40aがディスク中央孔26aの下方に位置する量だけ、ボタン片38を押下すればよいため、その押下ストロークは最小限で足りる。従って、この点においても、その操作性が確実に向上される。
【００３５】
また、ボタン片38が両持ちアーム34に設けられているため、ボタン片は、その押下によりほぼ水平に下降されることになる。つまり、指の位置等に拘らず、その水平押下が得られるため、この点においても操作性が向上される。
【００３６】
さらに、ボタン片38は一つであるため、操作時の指に対する違和感や、押下に伴った皮膚等の異物の挟み込みを生じさせることもない。
【００３７】
従って、この発明によれば、良好な作業性と操作性との両立された、ワンタッチ式のディスク保持装置10が提供される。
【００３８】
なお、この発明のディスク保持装置10によれば、中空台座32に載置された状態でディスク26が保持されるため、保持状態でのディスクの安定性が確実に向上される。
【００３９】
ここで、この発明の実施の形態においては、一対の弾性係合片40を、両持ちアーム34の延びる方向に対する直交線44上の対峙位置にそれぞれ立設しているが、これに限定されず、たとえば、両持ちアームの延びる方向線上の対峙位置に一対の弾性係合片を立設する構成としてもよい。
【００４０】
しかしながら、一対の弾性係合片40を、両持ちアーム34の延びる方向に対する直交線44上の対峙位置に設ければ、もし仮にボタン片38が両持ちアームの延びる方向のいずれかの側に傾く傾向にあっても、その影響を受けることのない上下移動が得られるため、その操作性が一層向上される。
【００４１】
なお、一対の弾性係合片40は、両持ちアーム34の延びる方向に対する直交線上、および両持ちアームの延びる方向線上のいずれかに限定されるものではなく、その双方に、一対の弾性片をそれぞれ設ける構成としてもよい。
【００４２】
また、この発明の実施の形態においては、収納ケースのボトム12をディスク保持手段10のベース部材として具体化しているが、これに限定されず、たとえば、ボトムとは別体のトレイをベース部材とし、そのトレイを嵌着等のもとでボトムに内装する構成としてもよい。
【００４３】
上述した実施の形態は、この発明を説明するためのものであり、この発明を何等限定するものでなく、この発明の技術範囲内で変形、改造等の施されたものも全てこの発明に包含されることはいうまでもない。
【００４４】
【発明の効果】
上記のように、この発明に係るディスク保持装置によれば、ボタン片の押下のみで、ディスク中央孔に対する弾性係合片の係合解除が行えるため、その際の操作性、および作業性が向上される。
【００４５】
そして、ディスクは、中空台座上に載置された状態であるため、ディスクに湾曲、撓み等を生じさせることなく、その保持解除を行うことが可能となる。従って、ディスクの保護性能も十分に高く維持できる。
【００４６】
さらに、この発明においては、ディスク中央孔の周縁に係合されるリップを、両持ちアームに弾性傾動可能に配した弾性係合片に設けているにすぎない。つまり、リップがディスク中央孔の下方に位置する量だけ、ボタン片を押下すればよいため、その押下ストロークは最小限で足りる。従って、この点においても、その操作性が確実に向上される。
【００４７】
また、ボタン片が両持ちアームに設けられているため、ボタン片は、その押下によりほぼ水平に下降されることになる。つまり、指の位置等に拘らず、その水平押下が得られるため、この点においても操作性が向上される。
【００４８】
さらに、ボタン片は一つであるため、操作時の指に対する違和感や、押下に伴った皮膚の挟み込み等を生じさせることもない。
【００４９】
従って、この発明によれば、良好な作業性と操作性との両立された、ワンタッチ式のディスク保持装置が提供される。
【図面の簡単な説明】
【図１】  この発明に係るディスク保持装置の平面図である。
【図２】  ディスクの概略斜視図である。
【図３】  図１の線Ａ−Ａに沿った、ディスク保持装置の概略断面図である。
【図４】  ディスク保持装置の斜視図である。
【図５】  図１の線Ｂ−Ｂに沿った、ディスク保持装置の概略部分断面図である。
【図６】  ボタン片押下時（保持解除状態）における、図５に類似するディスク保持装置の概略部分断面図である。
【図７】  ボタン片押力解除時（保持解除状態）における、図５に類似するディスク保持装置の概略部分断面図である。
【符号の説明】
10  ディスク保持装置
12  ベース部材（ボトム）
16  収納ケース
28  平坦基部
32  中空台座
34  両持ちアーム
38  ボタン片
40  弾性係合片
40a リップ
【図１】
0003723154.tif 000002
【図２】
0003723154.tif 000003
【図３】
0003723154.tif 000004
【図４】
0003723154.tif 000005
【図５】
0003723154.tif 000006
【図６】
0003723154.tif 000007
【図７】
0003723154.tif 000008